(57)【要約】      （修正有）【課題】特にゴルフ場において昼食時等に利用される食堂、コンペルーム等に置く販促品としての利用に供することができるランチョンマットを提供する。【解決手段】ランチョンマット本体に、ゴルフ場のゴルフコース全体の平面図様図柄が表示されていることを特徴とする。ゴルフコース全体の平面図様図柄とは別に、各ホールの平面図様図柄を表示することも可能であり、また各ホールの断面図様図柄を表示することも可能である。各ホールの平面図様図柄、又は断面図様図柄の少なくともいずれか一方に対応して、ホールナンバー、規定打数、及びティーグランドからホールまでの距離を表示することも可能である。【選択図】図１
0003133010.tif 000002
【実用新案登録請求の範囲】
【請求項１】
ランチョンマット本体（１）に、ゴルフ場のゴルフコース全体の平面図様図柄（２）が表示されていることを特徴とするランチョンマット。
【請求項２】
ゴルフコース全体の平面図様図柄（２）とは別に、各ホールの平面図様図柄（７）が表示されている請求項１記載のランチョンマット。
【請求項３】
ゴルフコース全体の平面図様図柄（２）とは別に、各ホールの断面図様図柄（８）が表示されている請求項１又は２記載のランチョンマット。
【請求項４】
各ホールの平面図様図柄（７）、又は断面図様図柄（８）の少なくともいずれか一方に対応して、ホールナンバー（９）、規定打数（１０）、及びティーグランドからホールまでの距離（１１）が表示されている請求項１乃至３のいずれかに記載のランチョンマット。
【請求項５】
ゴルフ場の土産品、ゴルフ場近郊の地域の特産品の図柄（１３）、又はゴルフ場における食堂のメニューの図柄（１２）が表示されている請求項１乃至４のいずれかに記載のランチョンマット。
【考案の詳細な説明】
【技術分野】
【０００１】
本考案はランチョンマットに関するものである。
【背景技術】
【０００２】
周知のように、ランチョンマットは、レストラン等において食事を提供する場合に、
テーブル等の上に載置され、その上に食器等を載置して使用されるもので、使い捨てを前提に使用されることから、主として紙製のものが使用されている。
【０００３】
特に、多数のチェーン点を持つ外食産業のハンバーガーショップやドーナツショップ等の店舗においては、統一した図柄等を表示したランチョンマットが、各店舗にそれぞれ置かれて販促等に利用されている。
【０００４】
しかし、このような外食産業等の店舗で利用されているランチョンマットは、利用者である子供等の興味を引くような図柄等が表示されているにすぎないもので、食事の際には、利用者の目に必然的にとまるものではあるが、その利用者の注意を喚起する程度のものである。従って、食事の際に利用者の注意を喚起することはあっても、それ以上に利用者に特別な話題を提供するものではない。
【考案の開示】
【考案が解決しようとする課題】
【０００５】
本考案は、このような点に鑑み、特にゴルフ場において昼食時等に利用される食堂、コンペルーム等に置く販促品としての利用に供することができるランチョンマットを提供することを課題とするものである。
【課題を解決するための手段】
【０００６】
本考案は、このような課題を解決するために、ランチョンマット本体１に、ゴルフ場のゴルフコース全体の平面図様図柄２が表示されていることを特徴とするランチョンマットを提供するものである。
【０００７】
ゴルフコース全体の平面図様図柄２とは別に、各ホールの平面図様図柄７を表示することも可能であり、また各ホールの断面図様図柄８を表示することも可能である。各ホールの平面図様図柄７、又は断面図様図柄８の少なくともいずれか一方に対応して、ホールナンバー９、規定打数１０、及びティーグランドからホールまでの距離１１を表示することも可能である。
【０００８】
さらに、ゴルフ場の土産品、ゴルフ場近郊の地域の特産品の図柄１３、又はゴルフ場における食堂のメニューの図柄１２を表示することも可能である。
【考案の効果】
【０００９】
本考案は、上述のように、ランチョンマット本体に、ゴルフ場のゴルフコース全体の平面図様図柄を表示したものであるため、このような構成からなるランチョンマットを、ゴルフ場の食堂等に置くことで、たとえばアウトを終了した利用者が、昼食時等に食堂を利用する場合において、上記のようなランチョンマットがその利用者の目にとまることとなる。
【００１０】
この場合において、利用者は、食事をしながら、たとえば午前中のアウトでのプレーを思い出してそのプレーの反省等をすることができ、或いは午後からのインでのプレーを想定して準備をする等によって、同じグループでプレーし、ともに食事をしているメンバーとプレー等の話題をすることができ、利用者の昼食時の話題に花が咲く等の利点をもたらすことができる。
【００１１】
また、ゴルフコース全体の平面図様図柄とは別に、各ホールの平面図様図柄や断面図様図柄を表示した場合には、各ホール毎にアウトでのプレーをより具体的に思い出してグループメンバーと検討することができ、或いは午後からのインでのプレーをより具体的に想定して準備をすることができる等の効果がある。
【００１２】
さらに、ホールナンバー、規定打数、ティーグランドからホールまでの距離等を表示した場合には、各ホール毎でのプレーをさらに具体的に思い出してグループメンバーと検討し、或いは午後からのプレーを想定して準備をすることができる効果がある。
【考案を実施するための最良の形態】
【００１３】
以下、本考案の実施形態について、図面に従って説明する。図１は一実施形態の
概略平面図である。
【００１４】
一実施形態のランチョンマットは、図１に示すように全体が略長方形状に形成された紙製のものであり、そのランチョンマット本体１の略中央に、ゴルフコース全体の平面図様図柄２が表示されたものである。この平面図様図柄２は、同図に示すように、ゴルフコース全体の輪郭を模して描いた全体表示部３と、各ホール毎の輪郭を部分的に模して描いた部分表示部４とを具備して構成されている。
【００１５】
上記のようなゴルフコース全体の平面図様図柄２とは別に、各ホール毎の情報を表示するホール情報表示部５が、ランチョンマット本体１の左右に設けられている。図１の実施形態では、アウトの１０〜１８ホールの情報、より具体的には１０ホールのホール情報表示部５が左側に設けられ、１４〜１８ホールのホール情報表示部５が右側に設けられている。
【００１６】
それぞれのホール情報表示部５においては、枠６内に各ホールの平面図様図柄７と、各ホールの断面図様図柄８とが上下に表示されている。また、それぞれのホール情報表示部５の枠６外の上部に、ホールナンバー９、規定打数１０、及びティーグランドからホールまでの距離１１が表示されている。
【００１７】
尚、このようなアウトの１０〜１８ホールの計９ホールの情報に代えて、インの９ホールの情報が表示されていてもよい。
【００１８】
さらに、ランチョンマット本体１の上部には、ゴルフ場における食堂のおすすめメニューの図柄を表示したメニュー表示部１２が設けられ、ランチョンマット本体１の下部には、ゴルフ場近郊の地域の特産品を表示した特産品表示部１３が設けられている。
【００１９】
そして、このような構成からなるランチョンマットは、ゴルフ場における食堂において、テーブル等の上に載置され、その上に食器等を載置して使用されるものである。
【００２０】
この場合において、ランチョンマット本体１には、ゴルフ場のゴルフコース全体の平面図様図柄２が表示されているため、たとえばアウトを終了した利用者が、昼食時等に食堂を利用する場合において、上記のようなランチョンマットがその利用者の目にとまることとなる。
【００２１】
また、利用者は、食事をしながら、たとえば午前中のアウトでのプレーを思い出してそのプレーの反省等をすることができ、或いは午後からのインでのプレーを想定して準備をする等によって、同じグループでプレーし、ともに食事をしているメンバーとプレー等の話題をすることができ、利用者の昼食時の話題に花が咲く等の利点をもたらすことができる。
【００２２】
さらに、ゴルフコース全体の平面図様図柄２とは別に、各ホール毎の情報を表示するホール情報表示部５が左右に設けられ、そのホール情報表示部５の枠６内の上下に平面図様図柄７と、断面図様図柄８とが表示されているため、利用者は、各ホール毎にアウトでのプレーをより具体的に思い出してグループメンバーと検討することができ、或いは午後からのインでのプレーをより具体的に想定して準備をすることができる。
【００２３】
さらに、ホール情報表示部５の枠６外の上部には、ホールナンバー９、規定打数１０、ティーグランドからホールまでの距離１１が表示されているので、各ホール毎でのプレーをさらに具体的に思い出してグループメンバーと検討し、或いは午後からのプレーを想定して準備をすることができる。
【００２４】
さらに、ランチョンマット本体１の上部には、ゴルフ場における食堂のおすすめメニューの図柄を表示したメニュー表示部１２が設けられ、ランチョンマット本体１の下部には、ゴルフ場近郊の地域の特産品を表示した特産品表示部１３が設けられているので、食堂でのメニューや特産品の販促効果をもたらすことができる。
【００２５】
このように、本実施形態では、ゴルフ場の食堂等で利用されるランチョンマットとして、一般のランチョンマットのように、一時的に利用者の目にとまるにすぎないようなものではなく、ゴルフ場でのプレーの途中に利用される食堂において、同じグループのメンバーに共通するゴルフの話題を提供する等、話題作りやランチメニュー、特産品等のＰＲ用として、十分に利用されるランチョンマットを提供することができるのである。
【００２６】
尚、上記実施形態では、ゴルフコース全体の平面図様図柄２とは別に、各ホール毎の情報を表示するホール情報表示部５が設けられ、そのホール情報表示部５の枠６内の上下に平面図様図柄７と、断面図様図柄８とが表示されていたため、上述のような好ましい効果が得られたが、このような、平面図様図柄７と断面図様図柄８を具備するホール情報表示部５を設けることは本考案に必須の条件ではない。
【００２７】
また、上記実施形態では、ホール情報表示部５の枠６外にホールナンバー９、規定打数１０、及びティーグランドからホールまでの距離１１を表示することで、上述のような好ましい効果が得られたが、このホールナンバー９、規定打数１０、及びティーグランドからホールまでの距離１１等も本考案に必須の条件ではない。
【００２８】
さらに、上記実施形態では、ランチョンマット本体１に、メニュー表示部１２や特産品表示部１３を設けたため、上述のような好ましい効果が得られたが、このようなメニュー表示部１２や特産品表示部１３を設けることも、本考案の必須の条件ではない。
【００２９】
さらに、上記のようなメニュー表示部１２や特産品表示部１３とともに、或いはメニュー表示部１２や特産品表示部１３に代えて、ゴルフ場とは別の協賛企業の宣伝用商品の図柄等を表示することも可能である。このような協賛企業の宣伝用商品としては、たとえばスポーツ用品メーカーによるゴルフ用具、飲料メーカーによる清涼飲料水、製薬メーカーによる虫よけスプレー等が例示される。
【００３０】
さらに、上記実施形態では、ランチョンマット本体１が平面略長方形状に形成されていたが、ランチョンマット本体１の形状は該実施形態に限定されるものではなく、たとえば図２のように平面略円形状に形成されたものであってもよく、さらには平面略正方形状、平面略三角形状のものであってもよい。
【００３１】
その他の構成等は、本考案の意図する範囲内で設計変更可能である。
【図面の簡単な説明】
【００３２】
【図１】一実施形態のランチョンマットの平面図。
【図２】他実施形態のランチョンマットの平面図。
【符号の説明】
【００３３】
１…ランチョンマット本体                  ２…平面図様図柄
７…平面図様図柄                          ８…断面図様図柄
９…ホールナンバー                      １０…規定打数
１１…ティーグランドからホールまでの距離
【図１】
0003133010.tif 000003
【図２】
0003133010.tif 000004